(57)【特許請求の範囲】
【請求項１】
カッタハウジングに回転軸を回転自在に取付け、この回転軸の下端に刈刃を取付けた草刈機における草刈機の回転軸保護構造において、
回転軸に草が巻き付くことを防止する回転軸保護部材を回転軸に取付け、この回転保護部材を、帯板を折り曲げて略Ｖ字形にしたプロテクタと、このプロテクタに形成した刃部とで構成するとともに、
前記プロテクタの上部に補強リングを取付けたことを特徴とする草刈機の回転軸保護構造。
【発明の詳細な説明】
【０００１】
【発明の属する技術分野】
本発明は草刈機の回転軸の保護構造に関する。
【０００２】
【従来の技術】
草刈機において、刈刃を回転させる回転軸に刈り取った草が巻き付いて、回転が妨げられることがあり、これを解決する技術として、例えば実開平５−９２２９号公報の「草刈機の回転刃」がある。
この公報の図５の要部を以下に再掲して従来の草刈機の回転軸の保護構造を説明する（ただし、符号は振り直す。）。
【０００３】
図５は従来の草刈機の正面断面図であり、草刈機の機体１００は、ハンドル１０１，１０１と、車輪１０２，１０２と、エンジン１０３と、刈刃装置１０４とからなり、刈刃装置１０４は、固定側ハウジング１０５に回転自在に取付けた主回転軸１０６に付属する部分と、ヒンジ軸１０７により傾斜可能なスイングハウジング１０８に回転自在に取付けた副回転軸１０９に付属する部分とからなる。そして、主回転軸１０６にドラム１１２の付いた主回転刃１１０を取付け、ドラム１１２で主回転軸１０６への刈草の巻き込みを防止するというものである。副回転軸１０９にもドラム１１３の付いた副回転刃１１１を取付け、ドラム１１３で副回転軸１０９への刈草の巻き込みを防止するものである。
【０００４】
【発明が解決しようとする課題】
しかし、回転するドラム１１２と、静止した固定側ハウジング１０５との間には隙間Ｃが必要であり、隙間Ｃは、ドラム１１２及びハウジング１０５の加工精度や剛性上からあまり小さくすることはできない。過小であるとドラム１１２がハウジング１０５に干渉するからである。
この隙間Ｃから、刈草や泥等が入りみ、草や泥等がドラム１１２内に滞留することで、回転部が重くなり刈り取り性能が低下することがある。ドラム１１３についても同様である。
【０００５】
【課題を解決するための手段】
本発明者らは、上記ドラム１１２，１１３を注意深く検討した結果、刈草が入らぬように隙間Ｃを小さくしたため、一旦刈草がドラム１１２，１１３に入ってしまうと、以降その刈草がドラム１１２，１１３内に貯まり、遂には大きな塊となることを見出した。即ち、ドラム１１２，１１３に刈草が入らぬようにすればする程、刈草が除去し難くなっていることに気が付いた。
そこで、ドラムの形状を大幅に見直し、刈草が入り易く且つ出易い構造に変えることを思い付き、種々試作したところ満足できる結果が得られた。
【０００６】
具体的には、請求項１は、カッタハウジングに回転軸を回転自在に取付け、この回転軸の下端に刈刃を取付けた草刈機における草刈機の回転軸保護構造において、回転軸に草が巻き付くことを防止する回転軸保護部材を回転軸に取付け、この回転保護部材を、帯板を折り曲げて略Ｖ字形にしたプロテクタと、このプロテクタに形成した刃部とで構成するとともに、プロテクタの上部に補強リングを取付けたことを特徴とする。
プロテクタは骨だけのオープンな構造であるため、刈草は簡単に回転軸に至る。しかし、侵入した刈草をプロテクタの刃部で切断し、遠心力で吹き飛ばすことで、刈草の巻き付きを良好に防止することができる。
【０００７】
加えて請求項１は、プロテクタの上部に補強リングを取付けたことで、プロテクタの剛性を向上させることができる。すなわち、プロテクタの剛性が向上するので、回転時にブレが少なくなり、また、プロテクタの板厚を小さくすることができる。
【０００８】
【発明の実施の形態】
本発明の実施の形態を添付図に基づいて以下に説明する。なお、図面は符号の向きに見るものとする。
図１は本発明に係る草刈機の切刃装置部の側面図であり、草刈機の切刃装置部１は、カッタハウジング２に取付けた軸受３と、この軸受３で回転自在に支持した回転軸４と、この回転軸４を駆動させる被動プーリ５と、回転軸４の下部に取付けた切刃６と、この切刃６の上部に一体的に取付けた回転軸保護部材２０とからなる。
なお、草刈機の切刃装置部１は、ベルト７により伝達される動力を被動プーリ５で受け、回転軸４を介して切刃６を回転することにより、草を刈るものである。
【０００９】
図２は本発明に係る回転軸保護部材の取付け部の分解斜視図である。
回転軸保護部材２０は、帯板を折り曲げて略Ｖ字形にしたプロテクタ２１と、このプロテクタ２１に形成した刃部２２，２２とで構成し、更に、プロテクタ２１の上部に鉢巻き補強リング２５を取付けたものである。
プロテクタ２１の上部に補強リング２５を取付けたので、プロテクタ２１の剛性が向上し、回転時にブレが少なくなり、また、プロテクタ２１の板厚を小さくすることができる。
詳しくは、プロテクタ２１は、矩形の底部２３と、この底部２３の両端部から略Ｖ字状に立上げた脚部２４，２４とからなり、脚部２４，２４の上下に延びる端面２４ａ，２４ａに刃部２２，２２を形成したものである。
回転軸保護部材２０の取付けは、底部２３に形成した小孔２３ａ，２３ａを回転軸４の下面に備えたピン８，８に合せ、切刃６と共に座金９を介してボルト１０で回転軸４の先端４ａに捩じ込むことによる。
【００１０】
図３は図１の３−３線断面図であり、脚部２４，２４の回転方向▲１▼の前方になる端面２４ａ，２４ａに刃部２２，２２を形成したことを示す。
刃部２２，２２は回転することで、刈草等を切断するものである。
【００１１】
以上に述べた回転軸保護部材２０の作用を次に説明する。
図４（ａ）〜（ｃ）は本発明に係る回転軸保護部材の作用図であり、プロテクタ２１の断面図である。
（ａ）において、プロテクタ２１の脚部２４，２４の間に刈草Ｊが、回転軸４に向って流れ込み、刈草Ｋは先端が回転軸４に巻き付いている状態である。
【００１２】
（ｂ）において、刈草Ｊ、Ｋは刃部２２，２２に当り、切断され、切断された外側の部分は遠心力により、外側に飛ばされ、また、内側の部分は短くなっているので回転軸４には巻き付くことなく、回転軸４に当り外側に飛ばされる。
（ｃ）において、刈草Ｋの巻き付いた部分は短かく、堅く巻き付かないので、遠心力により、解けて外側に飛ばされる。
従って、刃部２２，２２で刈草を切断し、遠心力で吹き飛ばすことで、刈草の巻き付きを良好に防止することができ、回転軸４の回転が妨げられることがない。また、脚部２４，２４の間が開放状態なので、回転保護部材２０に草や泥等が詰ることがないので、振動の発生もない。
【００１３】
尚、請求項１において、略Ｖ字形はＶ、Ｕ、コ又はこれに類した形状のいずれでもよい。又、刃部はプロテクタのどこに設けてもよく、形状及び数も任意である。具体的には、プロテクタ２１の刃部２２，２２の刃先は、実施例では脚部２４，２４の前端部の外側を研ぎ内側を尖らしたものであるが、内側を研ぎ外側を尖らしたものでもよい。
請求項２において、補強リングは角断面、丸断面のリングが適当であり、その形状は任意である。
【００１４】
【発明の効果】
本発明は上記構成により次の効果を発揮する。
請求項１の草刈機の回転軸保護構造は、回転軸に草が巻き付くことを防止する回転軸保護部材を回転軸に取付け、この回転保護部材を、帯板を折り曲げて略Ｖ字形にしたプロテクタと、このプロテクタに形成した刃部とで構成したことにより、プロテクタは骨だけのオープンな構造であるため、刈草は簡単に回転軸に至るが、プロテクタの刃部で刈草を切断し、遠心力で吹き飛ばすことで、刈り草の巻き付きを良好に防止することができる。
【００１５】
加えて請求項１の回転軸保護構造は、プロテクタの上部に補強リングを取付けたことにより、プロテクタの剛性が向上するので、回転時にブレが少なくなり、また、プロテクタの板厚を小さくすることができる。
【図面の簡単な説明】
【図１】本発明に係る草刈機の切刃装置部の側面図
【図２】本発明に係る回転軸保護部材の取付け部の分解斜視図
【図３】図１の３−３線断面図
【図４】本発明に係る回転軸保護部材の作用図
【図５】従来の草刈機の正面断面図
【符号の説明】
１…草刈機の切刃装置部、２…カッタハウジング、３…軸受、４…回転軸、６…切刃、２０…回転軸保護部材、２１…プロテクタ、２２…刃部、２４…脚部。
【図１】
0003732309.tif 000002
【図２】
0003732309.tif 000003
【図３】
0003732309.tif 000004
【図４】
0003732309.tif 000005
【図５】
0003732309.tif 000006